(57)【要約】【課題】送信ジョブに関する設定値の変更操作を簡素化することでユーザーの利便性を向上させることが可能なデータ送信装置を提供する。【解決手段】このデータ送信装置１００ａは、データを送信する送信ジョブを実行する通信部１２０と、送信ジョブの実行に際して、送信先アドレスにコマンド情報を付加した記号列の入力を受け付ける操作パネル１０１と、送信ジョブの実行に際して入力された記号列のうち、送信先アドレスを示す部分とコマンド情報を示す部分とを識別し、コマンド情報に従って送信ジョブに関する設定値を変更するとともに、送信先アドレスに対応する送信先へのデータの送信を通信部１２０に行わせる主制御部１１０と、を備える。【選択図】図９
2014027523.tif 000002
【特許請求の範囲】
【請求項１】
データを送信する送信ジョブを実行する通信部と、
前記送信ジョブの実行に際して、送信先アドレスにコマンド情報を付加した記号列の入力を受け付ける入力部と、
前記送信ジョブの実行に際して入力された記号列のうち、前記送信先アドレスを示す部分と前記コマンド情報を示す部分とを識別し、前記コマンド情報に従って前記送信ジョブに関する設定値を変更するとともに、前記送信先アドレスに対応する送信先へのデータの送信を前記通信部に行わせる処理部と、を備えていることを特徴とするデータ送信装置。
【請求項２】
前記処理部は、前記送信ジョブの実行に際して入力された記号列に１または複数の記号で構成される予め定められた識別情報が含まれている場合に、前記送信ジョブの実行に際して前記送信先アドレスに前記コマンド情報を付加した記号列が入力されたと判断することを特徴とする請求項１に記載のデータ送信装置。
【請求項３】
前記処理部は、前記送信ジョブの実行に際して入力された記号列のうち、前記識別情報よりも前に入力された部分を前記送信先アドレスとして認識し、前記識別情報よりも後に入力された部分を前記コマンド情報として認識することを特徴とする請求項２に記載のデータ送信装置。
【請求項４】
前記送信ジョブの実行に際して入力された前記コマンド情報が無効である場合、前記コマンド情報が無効である旨を報知する報知部を備えていることを特徴とする請求項１〜３のいずれかに記載のデータ送信装置。
【請求項５】
原稿を読み取って画像データを生成する画像読取部を備え、
前記通信部は、前記画像読取部の読み取りによって得られた画像データを、前記送信先アドレスに対応する送信先に送信することを特徴とする請求項１〜４のいずれかに記載のデータ送信装置。
【請求項６】
請求項１〜５のいずれかに記載のデータ送信装置を備えていることを特徴とする画像形成装置。
【発明の詳細な説明】
【技術分野】
【０００１】
本発明は、データ送信装置およびそれを備えた画像形成装置に関する。
【背景技術】
【０００２】
従来、印刷ジョブに加えて、指定された送信先にデータを送信する送信ジョブの実行が可能な画像形成装置（データ送信装置を備えた画像形成装置）が知られている。このような画像形成装置では、たとえば、原稿を光学的に読み取って画像データを生成する画像読取部を備え、その画像読取部の読み取りによって得られた画像データを指定の送信先に送信することができる。
【０００３】
ところで、送信ジョブの実行に際して設定値の変更が可能な設定項目は多数ある。このため、送信ジョブの実行が可能な画像形成装置には、送信ジョブに関する設定値の変更指示をユーザーから受け付けるための操作パネルが設けられているのが一般的である。操作パネルが設けられた画像形成装置は、たとえば、特許文献１に開示されている。
【先行技術文献】
【特許文献】
【０００４】
【特許文献１】特開２００６−１１９１７６号公報
【発明の概要】
【発明が解決しようとする課題】
【０００５】
たとえば、操作パネルは、送信ジョブの実行に際して、送信先アドレスの入力を受け付ける。このとき、操作パネルは、送信先アドレスを入力するためのアドレス入力画面を表示する。これにより、ユーザーは、送信先アドレスを入力することで、送信先を指定することができる。そして、操作パネルは、送信ジョブの実行に際して、送信ジョブに関する設定値の変更を受け付けるときには、設定値を入力するための設定値入力画面（アドレス入力画面とは異なる画面）を表示する。
【０００６】
このように、アドレス入力画面と設定値入力画面とが異なっている場合には、送信ジョブに関する設定値を変更するのに際して、表示画面を設定値入力画面に切り替える必要がある。すなわち、送信ジョブの実行に際して設定値を変更したいユーザーは、表示画面を設定値入力画面に切り替えるためのハードキーやソフトキーを探し、表示画面を設定値入力画面に切り替えるための操作を行わなければならない。このため、送信ジョブに関する設定値を変更するのに際して、所望の設定値を入力する操作の前に数多くの操作を行わなければならないので、ユーザーにとっては利便性が悪い。
【０００７】
本発明は、上記課題を解決するためになされたものであり、送信ジョブに関する設定値の変更操作を簡素化することでユーザーの利便性を向上させることが可能なデータ送信装置およびそれを備えた画像形成装置を提供することを目的とする。
【課題を解決するための手段】
【０００８】
上記目的を達成するために、本発明のデータ送信装置は、データを送信する送信ジョブを実行する通信部と、送信ジョブの実行に際して、送信先アドレスにコマンド情報を付加した記号列の入力を受け付ける入力部と、送信ジョブの実行に際して入力された記号列のうち、送信先アドレスを示す部分とコマンド情報を示す部分とを識別し、コマンド情報に従って送信ジョブに関する設定値を変更するとともに、送信先アドレスに対応する送信先へのデータの送信を通信部に行わせる処理部と、を備えている。
【０００９】
本発明の構成では、処理部は、送信ジョブの実行に際して入力された記号列のうち、送信先アドレスを示す部分とコマンド情報を示す部分とを識別し、コマンド情報に従って送信ジョブに関する設定値を変更するとともに、送信先アドレスに対応する送信先へのデータの送信を通信部に行わせる。このため、送信ジョブの実行に際して送信先アドレスを入力するときに、送信先アドレスと共にコマンド情報を入力する（送信先アドレスにコマンド情報を付加する）だけで、送信ジョブに関する現時点の設定値を所望の設定値に変更することができる。これにより、送信ジョブに関する設定値を変更するのに際して、表示画面を設定値入力画面に切り替えるための操作が不要となり、表示画面を設定値入力画面に切り替えるためのハードキーやソフトキーを探す手間が省けるので、送信ジョブに関する設定値の変更操作を簡素化することができる（送信ジョブに関する設定値の変更を速やかに完了することができる）。その結果、ユーザーの利便性が向上する。
【発明の効果】
【００１０】
以上のように、本発明によれば、送信ジョブに関する設定値の変更操作を簡素化することでユーザーの利便性を向上させることが可能なデータ送信装置およびそれを備えた画像形成装置を容易に得ることができる。
【図面の簡単な説明】
【００１１】
【図１】本発明の一実施形態によるデータ送信装置を備えた画像形成装置の全体構成図
【図２】図１に示した画像形成装置のハードウェア構成を説明するためのブロック図
【図３】図１に示した画像形成装置の操作パネルに表示される画面（アドレス入力画面）の一例を示した図
【図４】図１に示した画像形成装置の操作パネルに表示される画面（キーボード画面）の一例を示した図
【図５】図１に示した画像形成装置の操作パネルに表示される画面（送信ジョブに関する設定画面）の一例を示した図
【図６】図１に示した画像形成装置の操作パネルに表示される画面（設定値入力画面）の一例を示した図
【図７】図３に示したアドレス入力画面にコマンド情報が入力されたときの図
【図８】図３に示したアドレス入力画面に入力されたコマンド情報が無効である場合に表示されるエラーメッセージの一例を示した図
【図９】図１に示した画像形成装置において送信ジョブに関する設定値を変更するときの動作を説明するためのフローチャート
【発明を実施するための形態】
【００１２】
以下に、本発明の一実施形態によるデータ送信装置を備えた画像形成装置について、コピージョブ、送信ジョブ（スキャンジョブ）およびボックスジョブなどの複数種のジョブの実行が可能な画像形成装置（複合機）を例にとって説明する。なお、ボックスジョブというのは、予め登録されたボックスと称される保存領域に画像データを蓄積したり、蓄積した画像データに基づく印刷を行ったりするジョブを意味する。
（画像形成装置の全体構成）
【００１３】
図１に示すように、本実施形態のデータ送信装置１００ａを備えた画像形成装置１００は、操作パネル１０１、画像読取部１０２、給紙部１０３、用紙搬送部１０４、画像形成部１０５および定着部１０６を備える。なお、操作パネル１０１は、本発明の「入力部」および「報知部」に相当する。
【００１４】
操作パネル１０１は、表示面がタッチパネルで覆われた液晶表示部１１を有する。この液晶表示部１１には、各種設定を受け付けるための設定キー（ソフトキー）が表示されるとともに、画像形成装置１００の状態を示すメッセージも表示される。また、操作パネル１０１には、ハードキーとして、数値入力を受け付けるためのテンキー１２や、各種ジョブの開始を受け付けるためのスタートキー１３なども設けられている。
【００１５】
画像読取部１０２は、原稿を読み取り、形成すべき画像の画像データを生成する。この画像読取部１０２には、図示しないが、露光ランプ、ミラー、レンズおよびイメージセンサーなどの光学系部材が設けられている。そして、画像読取部１０２は、載置読取用コンタクトガラス２１に載置される原稿に光を照射し、その原稿からの反射光を受けたイメージセンサーの出力値をＡ／Ｄ変換することによって、画像データを生成する。これにより、画像読取部１０２による原稿の読み取り動作（スキャン）によって得られた画像データに基づき印刷を行うことができる。また、スキャンによって得られた画像データを蓄積することもできる。なお、画像読取部１０２には、載置読取用コンタクトガラス２１に載置された原稿を押さえるための原稿押さえ２２が設けられていてもよい。
【００１６】
給紙部１０３は、用紙Ｐを収容するカセット３１を有し、そのカセット３１内の用紙Ｐを用紙搬送部１０４（用紙搬送路１０４ａ）に供給する。この給紙部１０３には、カセット３１内の用紙Ｐを１枚ずつ用紙搬送部１０４（用紙搬送路１０４ａ）に供給するため、カセット３１内の用紙Ｐを引き出すためのピックアップローラー３２や、用紙Ｐの重送を抑制するための分離ローラー対３３などが設けられている。
【００１７】
用紙搬送部１０４は、カセット３１から排出トレイ４１に至る用紙搬送路１０４ａに沿って用紙Ｐを搬送する。この用紙搬送部１０４は、用紙搬送路１０４ａに沿って設置された搬送ローラー対４２を複数含む。そして、給紙部１０３から供給された用紙Ｐは、複数の搬送ローラー対４２が回転することにより、画像形成部１０５および定着部１０６をこの順番で通過し、排出トレイ４１にまで導かれる。また、用紙搬送部１０４は、画像形成部１０５の用紙搬送方向における上流側の位置（画像形成部１０５に至る直前の位置）に設置されたレジストローラー対４３を含む。このレジストローラー対４３は、用紙Ｐを画像形成部１０５の直前で待機させ、タイミングを合わせて画像形成部１０５に送り出す。
【００１８】
画像形成部１０５は、形成すべき画像の画像データに基づきトナー像を形成し、そのトナー像を用紙Ｐに転写する。この画像形成部１０５は、感光体ドラム５１、帯電装置５２、露光装置５３、現像装置５４、転写ローラー５５およびクリーニング装置５６を含む。
【００１９】
トナー像の形成プロセスおよびトナー像の転写プロセスとしては、まず、感光体ドラム５１が回転駆動し、その感光体ドラム５１の表面を帯電装置５２が所定電位に帯電させる。また、露光装置５３は、形成すべき画像データに基づき光ビームＬを出力し、感光体ドラム５１の表面を走査露光する。これにより、感光体ドラム５１の表面に静電潜像を形成する。現像装置５４は、トナーコンテナーＴＣからトナーを受け取り、感光体ドラム５１の表面に形成された静電潜像にトナーを供給して現像する。
【００２０】
転写ローラー５５は、感光体ドラム５１の表面に圧接して回転する。そして、レジストローラー対４３がタイミングを計り、転写ローラー５５と感光体ドラム５１との間に用紙Ｐを進入させる。このとき、転写ローラー５５には所定の電圧が印加される。これによって、感光体ドラム５１の表面のトナー像が用紙Ｐに転写される。なお、トナー像の転写プロセスが終わると、クリーニング装置５６は、感光体ドラム５１の表面に残留するトナーなどを除去する。
【００２１】
定着部１０６は、用紙Ｐに転写されたトナー像を加熱・加圧して定着させる。この定着部１０６は、加熱ローラー６１および加圧ローラー６２を含む。加熱ローラー６１は、ヒーター６３を内蔵する。加圧ローラー６２は、加熱ローラー６１に圧接する。そして、トナー像が転写された用紙Ｐは、加熱ローラー６１と加圧ローラー６２との間を通過することで、加熱・加圧される。これにより、用紙Ｐにトナー像が定着され、印刷が完了する。その後、印刷済みの用紙Ｐは、搬送ローラー対４２によって排出トレイ４１に送られる。
【００２２】
（画像形成装置のハードウェア構成）
図２に示すように、画像形成装置１００は、主制御部１１０を備える。なお、主制御部１１０は、本発明の「処理部」に相当する。この主制御部１１０は、中央演算処理装置であるＣＰＵ１１１、画像処理部１１２および記憶部１１３を含む。画像処理部１１２は、画像処理専用のＡＳＩＣやメモリーなどからなっており、画像データに対して各種画像処理（拡大／縮小、濃度変換およびデータ形式変換など）を施す。記憶部１１３は、ＲＯＭ、ＲＡＭおよびＨＤＤなどからなり、たとえば、ジョブの実行に必要なプログラムおよびデータがＲＯＭに記憶され、それらプログラムおよびデータがＲＡＭに展開される。
【００２３】
また、主制御部１１０は、操作パネル１０１、画像読取部１０２、給紙部１０３、用紙搬送部１０４、画像形成部１０５および定着部１０６と接続される。そして、主制御部１１０は、記憶部１１３に記憶されたプログラムおよびデータに基づき、全体制御、画像処理制御、表示制御、各種回転体を回転させるモーターの駆動制御、および、各種センサーの出力に基づく検知などを行う。
【００２４】
また、主制御部１１０は、通信部１２０と接続される。この通信部１２０は、送信ジョブ１２０を実行するものである。すなわち、通信部１２０は、主制御部１１０から指示を受け、送信先アドレスにネットワークＮＴを介してアクセスし、送信先アドレスに対応する外部機器２００に画像データなどのデータを送信する。たとえば、通信部１２０は、スキャンによって得られた画像データやボックスに蓄積された画像データを外部機器２００に送信したり、外部機器２００との間でファックス通信したりする。なお、外部機器２００は、パーソナルコンピューター、サーバー、および、ファクシミリなどである。
【００２５】
なお、この構成においては、操作パネル１０１、画像読取部１０２、主制御部１１０および通信部１２０がデータ送信装置１００ａとして機能する。
【００２６】
（送信ジョブに関する設定値の変更）
送信ジョブの実行に際して設定値の変更が可能な設定項目としては、たとえば、原稿サイズ、原稿セット向き、枠消し、ファイル形式（圧縮率）、送信サイズ、読み込み濃度、読み込み解像度、シャープネス、および、カラーモードなど種々ある。また、送信ジョブの開始後に操作パネル１０１に表示されるステータス画面（送信ジョブの実行状況を示す画面）の表示時間も送信ジョブに関する設定値に相当する。これら設定項目の設定値の変更を受け付けるため、主制御部１１０は、送信ジョブの実行に際して、操作パネル１０１に指示し、送信ジョブに関する設定値の入力受付を行わせる。
【００２７】
具体的には、操作パネル１０１は、送信ジョブの実行に際して、まず、図３に示すように、送信先アドレスを入力するためのアドレス入力画面Ｓ１を表示する。このアドレス入力画面Ｓ１には、ソフトウェアキーボードを表示するためのアドレスキーＡＫが配される。アドレスキーＡＫがタッチされると、操作パネル１０１は、図４に示すように、ソフトウェアキーボードが配されたキーボード画面Ｓ２を表示する。これにより、ユーザーは、ソフトウェアキーボードを操作することにより、送信先アドレスを構成する記号列の入力を行うことができる。そして、キーボード画面Ｓ２の表示中に終了キーＥＫがタッチされると、操作パネル１０１は、図３に示すアドレス入力画面Ｓ１に表示画面を切り替える。このとき、キーボード画面Ｓ２（図４参照）において送信先アドレスの入力が行われていれば、操作パネル１０１は、入力済みの送信先アドレスを入力欄Ｃに表示する。図３には、一例として、「ａｂｃ＠ｄｅｆ．ｃｏｍ」という送信先アドレスが入力された場合を図示している。なお、ユーザーは、「次の宛先」というキーＮＫをタッチすることで、続けて別の送信先アドレスを入力することができる。
【００２８】
アドレス入力画面Ｓ１において送信先アドレスが入力された後、決定キーＤＫがタッチされると、操作パネル１０１は、図５に示すような設定画面Ｓ３を表示する。この設定画面Ｓ３には、入力済みの送信先アドレスを表記するリストＬが配される。なお、図５には、送信先アドレスを１つだけリストアップした場合を図示しているが、入力済みの送信先アドレスが複数存在すれば、複数の送信先アドレスがリストアップされる。
【００２９】
そして、送信ジョブに関する設定値を変更するための画面へは、設定画面Ｓ３から遷移することができる。たとえば、設定画面Ｓ３には、複数のタブキーＴ１〜Ｔ３が配される。そして、タブキーＴ１〜Ｔ３のいずれかがタッチされると、操作パネル１０１は、設定値を変更するための設定値入力画面（たとえば、図６に示す設定値入力画面Ｓ４）を表示する。なお、図６には、一例として、送信する画像のファイル形式の設定値を変更するための設定値入力画面Ｓ４を図示している。
【００３０】
たとえば、ユーザーは、送信する画像のファイル形式の設定値を変更したいとき、タブキーＴ１をタッチし、図６に示すような設定値入力画面Ｓ４を表示するための操作を行う。この操作を受け、操作パネル１０１は、設定値入力画面Ｓ４を表示する。設定値入力画面Ｓ４には、ファイル形式（たとえば、ＰＤＦ形式など）を設定するためのファイル形式設定キーＦＫ、および、画質（圧縮率）を設定するための画質設定キーＱＫが配される。これにより、ユーザーは、送信する画像のファイル形式および画質（圧縮率）を設定することができる。
【００３１】
図５に戻って、タブキーＴ２がタッチされると、操作パネル１０１は、読み込み濃度や解像度などの画質に関する設定値を変更するための設定値入力画面を表示する（図示せず）。また、タブキーＴ３がタッチされた場合にも、操作パネル１０１は、タブキーＴ３に対応付けられた設定値入力画面（図示せず）を表示する。なお、タブキーＴＫがタッチされた場合には、操作パネル１０１は、図５に示す設定画面Ｓ３に表示画面を切り替える。
【００３２】
このように、ユーザーは、送信先アドレスを入力した後、設定画面Ｓ３から設定値入力画面（たとえば、図６に示す設定値入力画面Ｓ４）に遷移するための操作を行うことにより、送信ジョブに関する現時点の設定値を所望の設定値に変更することができる。しかし、ユーザーからすると、送信ジョブに関する設定値を変更するために、表示画面を切り替えるためのソフトキー（または、ハードキー）を探したり、表示画面を切り替えるための操作を何回も行ったりしなければならないので、煩わしい。
【００３３】
そこで、本実施形態では、アドレス入力画面Ｓ１（図３参照）での送信先アドレスの入力時に、送信ジョブに関する設定値の変更を行うことができるようになっている。すなわち、本実施形態では、設定値入力画面（たとえば、図６に示す設定値入力画面Ｓ４）での入力操作を行うことなく、送信ジョブに関する設定値を変更することができる。なお、送信ジョブに関する設定値を変更するときに、表示画面を設定値入力画面に切り替えることもできる。
【００３４】
具体的には、本実施形態では、操作パネル１０１は、送信ジョブの実行に際して、送信先アドレスにコマンド情報（送信ジョブに関する設定値を変更するためのコマンド）を付加した記号列の入力を受け付ける。そして、主制御部１１０は、送信ジョブの実行に際して入力された記号列のうち、送信先アドレスを示す部分とコマンド情報を示す部分とを識別し、コマンド情報に従って送信ジョブに関する設定値を変更するとともに、送信先アドレスに対応する送信先へのデータの送信を通信部１２０に行わせる。以下に、コマンド情報の一例を説明する。
【００３５】
たとえば、「ＩＭＧＦＭＴ；ＰＤＦ；Ｑ３」という記号列がコマンド情報に相当する。このコマンド情報を構成する記号列のうち、記号列ＩＭＧＦＭＴは、ファイル形式の設定値を変更対象として指定する旨を示す記号列（以下、コマンド記号列という）である。そして、記号列ＰＤＦは、ファイル形式の設定値を「ＰＤＦ形式」に変更する旨を示す記号列（以下、パラメータ記号列という）であり、記号列Ｑ３は、ファイル形式（画質）の設定値を「画質３（標準画質）」に変更する旨を示すパラメータ記号列である。なお、コマンド記号列とパラメータ記号列とは、「；」という記号によって区切られる。また、パラメータ記号列が複数存在する場合には、それら複数のパラメータ記号列が「；」という記号によって区切られる。
【００３６】
また、別の例として、「ＳＴＡＴＤＩＳＰＴＩＭＥ；１８０」という記号列がコマンド情報に相当する。このコマンド情報を構成する記号列のうち、記号列ＳＴＡＴＤＩＳＰＴＩＭＥは、ステータス画面の表示時間の設定値を変更対象として指定する旨を示すコマンド記号列である。記号列１８０は、ステータス画面の表示時間の設定値を「１８０秒」に変更する旨を示すパラメータ記号列である。
【００３７】
上記のコマンド情報は一例であり、他の設定値についても対応するコマンド情報を入力することによって変更可能である。なお、コマンド情報を構成する記号は、操作パネル１０１で入力可能な記号であればよく、記号の種類は特に限定されない。すなわち、文字だけでコマンド情報を構成してもよいし、数字だけでコマンド情報を構成してもよいし、文字と数字が混在していてもよい。
【００３８】
そして、このようなコマンド情報を送信先アドレスに付加した記号列が送信ジョブの実行に際して入力された後、主制御部１１０は、アドレス入力画面Ｓ１の決定キーＤＫ（図３参照）がタッチされたことを受けて、コマンド情報に従って送信ジョブに関する設定値を変更する。
【００３９】
ここで、主制御部１１０は、送信ジョブの実行に際して入力された記号列に１または複数の記号で構成される予め定められた識別情報が含まれている場合に、送信ジョブの実行に際して送信先アドレスにコマンド情報を付加した記号列が入力されたと判断する。たとえば、主制御部１１０は、「＠＠」という記号列を識別情報として認識する。また、主制御部１１０は、送信ジョブの実行に際して入力された記号列のうち、識別情報よりも前に入力された部分を送信先アドレスとして認識し、識別情報よりも後に入力された部分をコマンド情報として認識する。
【００４０】
これにより、ユーザーは、送信ジョブの実行に際して、設定値入力画面（たとえば、図６に示す設定値入力画面Ｓ４）での入力操作を行うことなく、送信ジョブに関する設定値を変更することができる。たとえば、送信対象のデータを標準画質のＰＤＦ形式に変換して送信ジョブを実行したい場合には、図７に示すように、送信先アドレス（ａｂｃ＠ｄｅｆ．ｃｏｍ）を入力した後、識別情報（＠＠）を入力し、続けてコマンド情報（ＩＭＧＦＭＴ；ＰＤＦ；Ｑ３）を入力すればよい。すなわち、送信ジョブの実行に際して、「ａｂｃ＠ｄｅｆ．ｃｏｍ＠＠ＩＭＧＦＭＴ；ＰＤＦ；Ｑ３」という記号列を入力すればよい。また、図示しないが、送信ジョブの実行状況を示すステータス画面の表示時間を１８０秒に設定変更したい場合には、送信ジョブの実行に際して、「ａｂｃ＠ｄｅｆ．ｃｏｍ＠＠ＳＴＡＴＤＩＳＰＴＩＭＥ；１８０」という記号列を入力すればよい。
【００４１】
ところで、コマンド情報の入力時に、コマンド情報（コマンド記号列およびパラメータ記号列）を誤って入力する場合がある。このため、主制御部１１０は、送信ジョブの実行に際して入力されたコマンド情報が無効であれば、操作パネル１０１に指示し、コマンド情報が無効である旨を報知させる。たとえば、操作パネル１０１は、図８に示すように、コマンド情報が無効であることを示すメッセージや、コマンド情報の再入力を促すメッセージを配したダイアログボックスＤＢを表示する。
【００４２】
（送信ジョブに関する設定値を変更するときの流れ）
以下に、図９に示すフローチャートに沿って、送信ジョブに関する設定値を変更するときの流れについて説明する。まず、図９のフローチャートのスタート時点では、ユーザーが送信ジョブを実行するのに際して、アドレス入力画面Ｓ１（図３参照）を開いているとする。そして、アドレス入力画面Ｓ１に記号列が入力され、アドレス入力画面Ｓ１の決定キーＤＫがタッチされた後、送信ジョブの開始指示を受け付けたとき（スタートキー１３（図１参照）が押下されたとき）、図９のフローチャートがスタートする。
【００４３】
ステップＳ１において、主制御部１１０は、送信ジョブの実行に際して入力された記号列に識別情報が含まれているか否かを判断する。言い換えると、主制御部１１０は、送信先アドレスにコマンド情報を付加した記号列が送信ジョブの実行に際して入力されたか否かを判断する。判断の結果、識別情報が含まれていれば、ステップＳ２に移行する。ステップＳ２に移行すると、主制御部１１０は、送信ジョブの実行に際して入力された記号列のうち、送信先アドレスを示す部分とコマンド情報を示す部分とを識別する。具体的には、主制御部１１０は、送信ジョブの実行に際して入力された記号列のうち、識別情報よりも前に入力された部分を送信先アドレスとして認識し、識別情報よりも後に入力された部分をコマンド情報として認識する。
【００４４】
ステップＳ３において、主制御部１１０は、コマンド記号列が有効であるか否かを判断する。判断の結果、コマンド記号列が有効であれば、ステップＳ４に移行する。ステップＳ４に移行すると、主制御部１１０は、パラメータ記号列が有効であるか否かを判断する。判断の結果、パラメータ記号列が有効であれば、ステップＳ５に移行する。
【００４５】
ステップＳ５に移行すると、主制御部１１０は、コマンド情報に従って送信ジョブに関する設定値を変更する。そして、ステップＳ６において、主制御部１１０は、通信部１２０に指示し、送信ジョブを開始させる。すなわち、通信部１２０は、送信先アドレスに対応する送信先にデータを送信する。なお、ステップＳ１において、送信ジョブの実行に際して入力された記号列に識別情報が含まれていない場合にも、ステップＳ６に移行する。この場合には、送信ジョブに関する設定値を変更せずに送信ジョブを開始する。
【００４６】
なお、ステップＳ３において、コマンド記号列が無効である場合には、ステップＳ７に移行する。また、ステップＳ４において、パラメータ記号列が無効である場合にも、ステップＳ７に移行する。ステップＳ７に移行すると、主制御部１１０は、操作パネル１０１に指示し、コマンド情報が無効である旨を報知させる。たとえば、コマンド情報の再入力を促す。そして、ステップＳ８において、主制御部１１０は、アドレス入力画面Ｓ１にコマンド情報が再入力されたか否か（アドレス入力画面Ｓ１の決定キーＤＫが再度タッチされたか否か）を判断する。判断の結果、コマンド情報が再入力されていれば、ステップＳ１に移行する。
【００４７】
一方で、ステップＳ８において、コマンド情報が再入力されていない場合には、ステップＳ９に移行する。ステップＳ９に移行すると、主制御部１１０は、キャンセル操作が行われたか否かを判断する。たとえば、主制御部１１０は、アドレス入力画面Ｓ１のキャンセルキーＣＫ（図３参照）がタッチされたか否かを判断する。判断の結果、キャンセル操作が行われた場合には、送信ジョブを開始せずに終了し、キャンセル操作が行われていない場合には、ステップＳ８に移行する。
【００４８】
本実施形態の画像形成装置１００（データ送信装置１００ａ）は、上記のように、データを送信する送信ジョブを実行する通信部１２０と、送信ジョブの実行に際して、送信先アドレスにコマンド情報を付加した記号列の入力を受け付ける操作パネル１０１（入力部）と、送信ジョブの実行に際して入力された記号列のうち、送信先アドレスを示す部分とコマンド情報を示す部分とを識別し、コマンド情報に従って送信ジョブに関する設定値を変更するとともに、送信先アドレスに対応する送信先へのデータの送信を通信部１２０に行わせる主制御部１１０（処理部）と、を備えている。
【００４９】
このように構成された画像形成装置１００（データ送信装置１００ａ）では、送信ジョブの実行に際して送信先アドレスを入力するときに、送信先アドレスと共にコマンド情報を入力する（送信先アドレスにコマンド情報を付加する）だけで、送信ジョブに関する現時点の設定値を所望の設定値に変更することができる。これにより、送信ジョブに関する設定値を変更するのに際して、表示画面を設定値入力画面（たとえば、図６に示す設定値入力画面Ｓ４）に切り替えるための操作が不要となり、表示画面を設定値入力画面に切り替えるためのハードキーやソフトキーを探す手間が省けるので、送信ジョブに関する設定値の変更操作を簡素化することができる（送信ジョブに関する設定値の変更を速やかに完了することができる）。その結果、ユーザーの利便性が向上する。すなわち、送信ジョブに関する設定値の変更操作を簡素化することでユーザーの利便性を向上させることができる。
【００５０】
また、本実施形態では、上記のように、主制御部１１０は、送信ジョブの実行に際して入力された記号列に１または複数の記号で構成される予め定められた識別情報が含まれている場合に、送信ジョブの実行に際して送信先アドレスにコマンド情報を付加した記号列が入力されたと判断する。そして、主制御部１１０は、送信ジョブの実行に際して入力された記号列のうち、識別情報よりも前に入力された部分を送信先アドレスとして認識し、識別情報よりも後に入力された部分をコマンド情報として認識する。これにより、送信先アドレスを入力した後、識別情報を入力し、続けてコマンド情報を入力すれば、送信先アドレスが正しく識別されるので、送信エラー（たとえば、送信先が見つからないというエラー）が発生することはない。
【００５１】
また、本実施形態では、上記のように、操作パネル１０１（報知部）は、送信ジョブの実行に際して入力されたコマンド情報が無効である場合、そのコマンド情報が無効である旨を報知する。これにより、送信ジョブの実行に際して入力されたコマンド情報が無効である場合に、送信ジョブに関する現時点の設定値が所望の設定値に変更されないまま送信ジョブが実行されるのを抑制することができる。
【００５２】
また、本実施形態では、上記のように、原稿を読み取って画像データを生成する画像読取部１０２を備え、通信部１２０は、画像読取部１０２の読み取りによって得られた画像データを、送信先アドレスに対応する送信先に送信する。これにより、画像読取部１０２の読み取りによって得た画像データを外部機器２００に送信するときの操作を減らすことができる。
【００５３】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００５４】
１００  画像形成装置
１００ａ  データ送信装置
１０１  操作パネル（入力部、報知部）
１０２  画像読取部
１１０  主制御部（処理部）
１２０  通信部
【図１】
2014027523.tif 000003
【図２】
2014027523.tif 000004
【図３】
2014027523.tif 000005
【図４】
2014027523.tif 000006
【図５】
2014027523.tif 000007
【図６】
2014027523.tif 000008
【図７】
2014027523.tif 000009
【図８】
2014027523.tif 000010
【図９】
2014027523.tif 000011